(57)【要約】【課題】上方へ調和空気を送出可能で結露を防止できる空気調和機を提供する。【解決手段】略水平方向乃至下方向に送風を行う際に、横ルーバ１１ａ、１１ｂは略水平方向乃至下向きに配置され、導風板１４は上向きに配置される。これにより、第１開口部５ａ付近を流れる調和空気は、横ルーバ１１ａ、１１ｂにより略水平方向乃至下方向に流れの方向を変更された後、略水平方向乃至下方向に送出される。第２開口部５ｂ付近を流れる調和空気は、導風板１４に沿って分岐通路１３を斜め上方向に流れ、その後導風板１４の先端を経由した後第１開口部５ａから送られる調和空気に沿って略水平方向乃至下方向に送出される。【選択図】　　　図１
2004125313.tif 000002
【特許請求の範囲】
【請求項１】
室内の壁面に取り付けて吸込口から取り入れた空気を調和し、吹出口から下方及び上方に空気を送出する空気調和機において、水平乃至下方に空気を送出する際に、水平乃至下方に送出される空気の一部を上方へ分流した後、元の気流に合流するように導く分流手段を設けたことを特徴とする空気調和機。
【請求項２】
前記吹出口に臨む空気流通経路の上壁を成して前方へ行くほど上方になるように傾斜した案内面を有することを特徴とする請求項１に記載の空気調和機。
【請求項３】
空気調和機の前面を覆うフロントパネルが前記吹出口から前方へ行くほど上方になるように傾斜した案内面を有することを特徴とする請求項１に記載の空気調和機。
【請求項４】
前記分流手段は、前記吹出口の上部を開閉して空気を上方に導く導風板から成ることを特徴とする請求項１〜請求項３のいずれかに記載の空気調和機。
【請求項５】
前記吹出口から水平乃至下方に空気を送出する際に、前記導風板と空気流通経路の上壁との幅を前方へ行くほど狭くしたことを特徴とする請求項４に記載の空気調和機。
【請求項６】
前記吹出口から水平乃至下方に送出される空気の向きを可変する風向板を前記導風板の下方に設け、隣接する前記風向板と前記導風板との角度を４０゜〜９０゜にしたことを特徴とする請求項４または請求項５に記載の空気調和機。
【請求項７】
前記吹出口から水平乃至下方に空気を送出する際に、前記導風板を前記吹出口の遮蔽位置から５゜〜３０゜開いた状態に配置したことを特徴とする請求項４〜請求項６のいずれかに記載の空気調和機。
【発明の詳細な説明】
【０００１】
【発明の属する技術分野】
本発明は、取り込まれた空気を調和して室内に送出する空気調和機に関し、特に上方に空気を送出できる空気調和機に関する。
【０００２】
【従来の技術】
従来の空気調和機は略水平乃至下方に空気を送出するため、室内温度が設定温度付近に達した状態で送風を継続すると使用者に常に冷たい風や暖かい風が当たる。従って、使用者に不快感を与えるとともに、除湿運転時や冷房運転時では局所的に使用者の体温を低下させて健康に害を与える問題があった。
【０００３】
このため、水平乃至下方に調和空気を送出し、室内温度が設定温度付近に到達すると上方に空気を送出できる空気調和機が特願２００２−０２９８２４号等に示されている。図７は上方に空気を送出する空気調和機の室内機の一例を示す側面断面図である。
【０００４】
ここで、以下の説明において用いる方向の定義について説明する。室内機１の背面というときは室内機１が壁面に設置される際に室内機１と壁面とが接している面をいうものとし、室内機１の前面というときは背面と相対する側の面をいうものとする。そして、室内機１の背面から前面に向かう方向を前方、前面から背面に向かう方向を後方と称する。
【０００５】
また、室内機１の上面というときは室内機１が設置される部屋の天井側の面をいうものとし、室内機１の下面というときは室内機１の上面と相対する側の面をいうものとする。そして、室内機１の下面から上面に向かう方向を上方、室内機１の上面から下面に向かう方向を下方と称する。
【０００６】
また、気流の吹き出し方向に関し、吹出口５から水平面に対して平行に送出される場合を水平方向吹出し、水平方向吹出しに対して上方に正の角をなして送出される場合を上方吹出し、水平方向吹出しに対して下方に正の角をなして送出される場合を下方吹出しと称する。
【０００７】
また同様に、風向板１１ａ、１１ｂおよび導風板１４の姿勢に関し、水平面に対して平行である場合を水平向き、水平向きに対して風向板１１ａ、１１ｂおよび導風板１４の前方にある端が上方にある場合を上向き（もしくは斜め上向き）、水平向きに対して風向板１１ａ、１１ｂおよび導風板１４の前方にある端が下方にある場合を下向き（もしくは斜め下向き）と称する。これらの方向は室内機１のみに限らず使用する場合がある。
【０００８】
空気調和機の室内機１は、室内の壁面に取り付けられるキャビネット２により本体部が保持されており、キャビネット２には前面側と上面側に吸込口４ａ、４ｃが設けられたフロントパネル３が着脱自在に取り付けられている。
【０００９】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。
【００１０】
吹出口５は第１開口部５ａと第２開口部５ｂとを有している。第１、第２開口部５ａ、５ｂには明確な境界が設けられないが、便宜上、吹出口５の下部を第１開口部５ａとし、上部を第２開口部５ｂとしている。第１開口部５ａは送風経路６の終端に下方に臨んで配されている。第２開口部５ｂは送風経路６から上方に分岐する分岐通路１３の終端に設けられる。分岐通路１３の上壁は前方へ行くほど上方に傾斜した案内面１３ａから成っている。
【００１１】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【００１２】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。室内熱交換機９の前後の下部には冷房または除湿時に室内熱交換器９から落下した結露を補集するドレンパン１０が設けられている。
【００１３】
吹出口５には、外部に臨んで垂直方向の吹出角度を変更可能な横ルーバ１１ａ、１１ｂ及び導風板１４が設けられている。横ルーバ１１ａ、１１ｂは吹出口５の下部の第１開口部５ａを開閉して、空気の送出方向を下方向乃至上方向に変更可能になっている。導風板１４は吹出口５の上部の第２開口部５ｂを開閉して、空気の送出方向を略水平乃至上方向に変更可能になっている。また、横ルーバ１１ａ、１１ｂの奥側には左右方向の吹出角度を変更可能な縦ルーバ１２が設けられている。
【００１４】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００１５】
室内機１内に取り込まれた空気は室内熱交換器９と熱交換し、冷却または加熱される。そして、調和空気は送風経路６を通って縦ルーバ１２により左右方向の向きが規制されるとともに導風板１４及び横ルーバ１１ａ、１１ｂにより上下方向の向きが規制され、吹出口５から室内に送出される。これにより、室内の空気調和が行われる。
【００１６】
また、室内の温度が安定した安定状態では同図に示すように、導風板１４及び横ルーバ１１ａ、１１ｂが上方に向けて配置され、調和空気が上方に送出される。これにより、使用者に常に冷たい風や暖かい風が当たらず、不快感を低減するとともに、局所的な体温の低下を防止することができる。
【００１７】
【発明が解決しようとする課題】
しかしながら、上記の従来の空気調和機によると、冷房運転時に吹出口５から略水平乃至下方に冷気を送出すると吹出口５付近で結露が発生する問題があった。即ち、図８に示すように導風板１４を略水平方向に向け、横ルーバ１１ａ、１１ｂを下方に向けて吹出口５から下方に調和空気を送出すると、吹出し気流によって周囲の空気を吸引する吸引力が生じる。このため、図中、破線矢印で示すように、吹出口５の上方の空気がフロントパネル３に沿って降下し、その後吹出し気流とともに室内に導かれる。
【００１８】
この時、フロントパネル３の表面を降下した空気は案内面１３ａに沿って第２開口部５ｂの内部に侵入し、フロントパネル３から若干離れて降下した空気は第２開口部５ｂから離れて吹出し気流に沿う。このため、Ｄ部に示すように第２開口部５ｂで流れの剥離が生じ、室内温度の空気が滞留する。滞留した空気は調和空気と接触して露点温度以下に冷却されるため、案内面１３ａの表面に結露が生じる。
【００１９】
また、図９に示すように導風板１４を閉じて、横ルーバ１１ａ、１１ｂを下方に向けて吹出口５から下方に調和空気を送出すると、上記と同様に吹出口５の上方の空気がフロントパネル３に沿って降下する。降下した空気は導風板１４の表面に接触して吹出し気流とともに室内に導かれる。
【００２０】
この時、導風板１４の内面側は調和空気と接触しており、外面側が室内温度の空気と接触するため両面に温度差が生じる。このため、導風板１４の外面の空気が露点温度以下に冷却され、導風板１４の表面に結露が生じる。
【００２１】
本発明は、上記問題点に鑑みて成されたものであり、上方へ調和空気を送出可能で結露を防止できる空気調和機を提供することを目的とする。
【００２２】
【課題を解決するための手段】
上記目的を達成するために本発明は、室内の壁面に取り付けて吸込口から取り入れた空気を調和し、吹出口から下方及び上方に空気を送出する空気調和機において、水平乃至下方に空気を送出する際に、水平乃至下方に送出される空気の一部を上方へ分流した後、元の気流に合流するように導く分流手段を設けたことを特徴としている。
【００２３】
この構成によると、吸込口から取り入れられた空気は調和されて、吹出口から上方または水平乃至下方に送出される。この時、水平乃至下方に送出される調和空気の一部が分流手段によって上方に分流して送出される。上方に送出された空気は水平乃至下方に送出される空気に吸引され、該空気とともに水平乃至下方に導かれる。
【００２４】
また本発明は、上記構成の空気調和機において、吹出口に臨む空気流通経路の上壁を成して前方へ行くほど上方になるように傾斜した案内面を有することを特徴としている。この構成によると、分流手段によって上方に導かれた調和空気は空気通路の上壁を成す案内面に沿って送出される。案内面は吹出口の外側にフロントパネルの一部として形成してもよい。
【００２５】
尚、分流手段は固定されていても良く、可動式の導風板により構成しても良い。導風板と空気流通経路の上壁との幅を前方へ行くほど狭くすると、確実に調和空気を該上壁に沿わせて送出することができる。また、下方に送出する空気の向きを可変できる風向板と導風板との角度を４０゜〜９０゜にすると、調和空気を該上壁に沿わせるとともに逆流が防止される。また、導風板を遮蔽位置から５゜〜３０゜開いた状態にすると充分な風量の調和空気を上方に導いて導風板の外面に沿わせることができる。
【００２６】
【発明の実施の形態】
以下に本発明の実施形態を図面を参照して説明する。説明の便宜上、従来例の図７〜図９と同一の部分については同一の符号を付している。図１は本実施形態の空気調和機を示す側面断面図である。本実施形態の構成は図７に示す従来例と同様である。
【００２７】
空気調和機の室内機１は、室内の壁面に取り付けられるキャビネット２により本体部が保持されており、キャビネット２には前面側と上面側に吸込口４ａ、４ｃが設けられたフロントパネル３が着脱自在に取り付けられている。
【００２８】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。
【００２９】
吹出口５は第１開口部５ａと第２開口部５ｂとを有している。第１、第２開口部５ａ、５ｂには明確な境界が設けられないが、便宜上、吹出口５の下部を第１開口部５ａとし、上部を第２開口部５ｂとしている。第１開口部５ａは送風経路６の終端に下方に臨んで配されている。第２開口部５ｂは送風経路６から上方に分岐する分岐通路１３の終端に設けられる。分岐通路１３の上壁は前方へ行くほど上方に傾斜した案内面１３ａから成っている。
【００３０】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【００３１】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。室内熱交換機９の前後の下部には冷房または除湿時に室内熱交換器９から落下した結露を補集するドレンパン１０が設けられている。
【００３２】
吹出口５には、外部に臨んで垂直方向の吹出角度を変更可能な横ルーバ１１ａ、１１ｂ及び導風板１４が設けられている。横ルーバ１１ａ、１１ｂは吹出口５の下部の第１開口部５ａを開閉して、空気の送出方向を下方向乃至上方向に変更可能になっている。導風板１４は吹出口５の上部の第２開口部５ｂを開閉して、空気の送出方向を略水平乃至上方向に変更可能になっている。また、横ルーバ１１ａ、１１ｂの奥側には左右方向の吹出角度を変更可能な縦ルーバ１２が設けられている。
【００３３】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００３４】
室内機１内に取り込まれた空気は室内熱交換器９と熱交換し、冷却または加熱される。そして、調和空気は送風経路６を通って縦ルーバ１２により左右方向の向きが規制されるとともに導風板１４及び横ルーバ１１ａ、１１ｂにより上下方向の向きが規制され、吹出口５から室内に送出される。これにより、室内の空気調和が行われる。
【００３５】
室内の温度が安定した安定状態では前述の図７と同様に、導風板１４及び横ルーバ１１ａ、１１ｂが上方に向けて配置され、調和空気が上方に送出される。これにより、使用者に常に冷たい風や暖かい風が当たらず、不快感を低減するとともに、局所的な体温の低下を防止することができる。
【００３６】
空気調和機の起動直後等の吹出口５から下方に調和空気を送出する際には、横ルーバ１１ａ、１１ｂ及び導風板１４は図２に示すように配置される。横ルーバ１１ａは水平方向から下向きに２０°、横ルーバ１１ｂは水平方向から下向きに４０°の向きに配置されている。また、導風板１４は、水平方向から上向きに４５°の向きに配置されている。
【００３７】
図３はこの時の吹出口５の空気の流れを示している。横ルーバ１１ａ、１１ｂの向きは送風経路６からの流れに沿うようになっている。これにより、通風抵抗を小さくして第１開口部５ａから最も効率よく斜め下方向に調和空気が送出される。
【００３８】
また、導風板１４は横ルーバ１１ａに対して６５°上向きになっており、横ルーバ１１ａの上面を通過する気流の一部を導風板１４に沿わせて上方に導く。これにより、調和空気の一部が分流して分岐経路１３に流入し、コアンダ効果によって分岐通路１３の案内面１３ａに沿って流通して第２開口部５ｂから上方に送出される。
【００３９】
この時、図中、破線矢印で示すようにフロントパネル３の表面を降下した空気は、案内面１３ａに沿って流れる空気に遮られて前述の図８に示すように第２開口部５ｂ内に侵入しない。従って、第２開口部５ｂで室内温度の空気が流れの剥離を発生せず、案内面１３ａの表面の結露を防止することができる。
【００４０】
また、第２開口部５ｂから上方に送出される調和空気は第１開口部５ａから下方に送出される空気に吸引され、導風板１４に沿って下降する。このため、導風板１４の外面には調和空気が接触する。従って、前述の図９に示すように導風板１４に発生する結露を防止することができる。
【００４１】
図４は、横ルーバ１１ａと導風板１４との成す角度が約４０°未満の場合を示している。同図によると、導風板１４により上方に送出される空気は導風板１４の外面側で第１開口部５ａからの気流に強く引き付けられる。これにより、調和空気を案内面１３ａに沿わせる効果が弱くなる。
【００４２】
このため、フロントパネル３に沿って降下する室温の空気が第２開口部５ｂから侵入して前述の図８と同様に流れの剥離が生じる。導風板１４が水平方向よりも下向きの場合も同様である。従って、導風板１４を水平方向よりも上向きで横ルーバ１１ａよりも４０゜以上の角度に配置するのが望ましい。
【００４３】
また、導風板１４が横ルーバ１１ａよりも９０°以上上方を向いている場合には、図５に示すように調和空気が導風板１４の先端に到達せず逆流する場合がある。このため、導風板１４の外面に室温の空気が接触して結露が発生する可能性が生じる。従って、導風板１４を水平方向よりも上向きで横ルーバ１１ａよりも４０゜〜９０゜の角度に配置するとより望ましい。
【００４４】
また、図２、図３における導風板１４の向きは、上方送風時（図７参照）の導風板１４の向きよりも１０°上方に向けられている。これにより、より確実に案内面１３ａに調和空気を沿わせることができる。即ち、水平乃至下方送風時には図７に示す上方送風時よりも分岐通路１３を流通する空気量が減少する。空気量が減少すると案内板１３ａに沿って流れる効果が低下するため、導風板１４の角度を上方にすることで確実に調和空気を案内板１３ａに沿わせることができる。
【００４５】
更に、図２、図３における導風板１４の向きは、導風板１４の遮蔽位置から２０°開放された状態になっている。これにより、より確実に案内面１３ａに調和空気を沿わせることができる。即ち、導風板１４を閉止位置から５°未満で開放すると、図６に示すように、第２開口部５ｂの開口面積が狭くなり流量が減少する。このため、第２開口部５ｂからの気流が導風板１４の外面で室温の空気と混ざりながら再付着して結露が発生しやすくなる。
【００４６】
また、導風板１４を遮蔽位置から３０°よりも広く開放すると、前述の図４と同様に、第２開口部５ｂから送出される空気量に比較して開口面積が広くなる。これにより、分岐通路１３の案内面１３ａに気流が沿いにくくなるため室温の空気が第２開口部５ａ内に流入しやすくなる。従って、導風板１４を遮蔽位置から５°〜３０°開放すると、より好適に結露を防止することができる。
【００４７】
以上より、本実施形態において、横ルーバ１１ａが水平方向から２０゜下方に配置された状態では、導風板１４は水平方向から上向きに２０°〜７０°の角度であればよい。導風板１４を水平方向から上向きに３５°〜６０°にすると、より確実に案内面１３ａに調和空気を沿わせることができるとともに、上方に送出される調和空気の風量を充分確保することができる。
【００４８】
本実施形態において、第２開口部５ｂの内側に案内面１３ａが設けられているが、導風板１４を後方に配置して第２開口部５ｂの外側にフロントパネル３の一部として案内面１３ａが設けられる場合でも同様の効果を得ることができる。
【００４９】
また、第２開口部５ｂの上方に室内機１の幅方向に延びる溝や突起、もしくは第２の導風板等、ショートサーキットを抑制する機構を設けるとより望ましい。この場合、分岐通路１３の上壁面１３ａを沿う気流がそのままフロントパネル３に沿って上向きに流れることを抑制できるため、フロントパネル３の表面に生じる結露を防止することができる。
【００５０】
本実施形態では横ルーバを２枚設けているが、１枚や３枚以上設けても同様の効果を得ることができる。また、分岐通路１３の案内面１３ａは、上向き送風時に好適に上向き送風が行えるのであればどのような形状でもよい。例えば、案内面１３ａを平面、曲面、複数の平面等により形成することができる。
【００５１】
導風板１４の断面形状は、上向き送風時に好適に上向き送風が行えるのであればどのような形状でもよい。例えば、直線状、曲線状、屈曲した形状でもよく、下に凸、上に凸、翼形状、楕円形状、矩形であっても良い。導風板１４の回動方向は特に限定されず、どのようにしても同様の効果を得ることができる。本実施形態では前述の図１において開放時に反時計回り、閉鎖時に時計回りに導風板１４を回動させている。これにより、より小さい回動角度で所望の向きに導風板１４を配置できる。
【００５２】
導風板１４は常に一定の向きを向いている必要はなく、一定周期（例えば１秒周期）で所定の角度（例えば水平から上向きに４０°〜５０°の間）を往復回動しているとより望ましい。これにより、分岐通路１３の案内面１３ａや導風板１４の外面側において流れの滞留が起こりにくくなり、更に結露を防止することができる。
【００５３】
尚、以上に示した本実施形態の特徴は以下のようにまとめることもできる。
【００５４】
（１）吸込口から取り入れた空気を調和し、吹出口に設けた導風板の開成状態を切り替えて調和空気の吹出方向を水平乃至下方と、上方とに送出する空気調和機において、調和空気を水平乃至下方へ送出時にその調和空気の一部が上方に流れるようにガイドする分流手段を、調和空気の水平乃至下方への送風方向と交差するように吹出口または送風経路内に配設したことを特徴とする。
【００５５】
（２）前記分流手段により分流された調和空気が分流手段を通過後再び水平乃至下方に送出された調和空気と合流するように前記分流手段と送風方向との交差角度を決定することを特徴とする。
【００５６】
（３）調和空気の送風方向に対応して、前記分流手段と送風方向との交差角度を変更したことを特徴とする。
【００５７】
（４）吸込口から取り入れた空気を調和し、吹出口から水平乃至下方と上方とに調和空気を送出する空気調和機において、吹出口上部に配置されるとともに調和空気の上方への吹出口（第２開口部）を開閉する導風板と、該導風板の下方に配置されるとともに吹出口の下部から吹き出される調和空気の吹出方向を水平乃至下方に可変する風向板とを設け、調和空気を水平乃至下方に送出する際に、調和空気の水平乃至下方への送風方向と交差して、その調和空気の一部が上方に流れるように吹出口または送風経路内に前記導風板を配設したことを特徴とする。
【００５８】
（５）前記導風板により上方に流れた調和空気が、前記導風板を通過後再び水平乃至下方に送出された調和空気と合流するように前記導風板と送出方向との交差角度を決定することを特徴とする。
【００５９】
（６）前記吹出口に臨む風紀流通経路の上壁を成して前方へ行くほど上方になるように傾斜した案内面を有し、前記上方へ分流した調和空気は少なくとも前記案内面下流側先端部まで流れるように前記導風板を配設したことを特徴とする。
【００６０】
（７）前記案内面と前記導風板とから成る送風経路（分岐通路）の下流側端面が、上流側端面よりも狭くなるように前記導風板を配設したことを特徴とする。
【００６１】
【発明の効果】
本発明によると、上方送風可能な空気調和機において、水平乃至下方に空気を送出する際に、水平乃至下方に送出される空気の一部を上方へ分流した後合流するように導く分流手段を設けたので、フロントパネルに沿って降下する室温の空気が空気流通経路の上壁に沿って吹出口から侵入することを防止できる。従って、吹出口付近で室温の空気が流れの剥離を発生せず、空気流通経路の上壁に生じる結露を防止できる。
【００６２】
また、分流手段により上方に導かれた調和空気は分流手段の外面側に沿って降下して合流するため、分流手段の両面が調和空気と接触して分流手段に生じる結露を防止することができる。分流手段は吹出口の上部を開閉して空気を上方に導く導風板により容易に実現することができる。
【００６３】
また、本発明によると、空気流通経路の上壁或いはフロントパネルが前方へ行くほど上方になるように傾斜した案内面を有する場合には、室温の空気が案内面に沿って吹出口内に流入して流れの剥離を生じやすいため、結露を防止する効果が特に大きくなる。
【図面の簡単な説明】
【図１】は、本発明の実施形態の空気調和機を示す側面断面図である。
【図２】は、本発明の実施形態の空気調和機の導風板及び横ルーバの配置を示す側面断面図である。
【図３】は、本発明の実施形態の空気調和機の空気の流れを示す側面断面図である。
【図４】は、本発明の実施形態の空気調和機の効果を説明する側面断面図である。
【図５】は、本発明の実施形態の空気調和機の効果を説明する側面断面図である。
【図６】は、本発明の実施形態の空気調和機の効果を説明する側面断面図である。
【図７】は、従来の空気調和機を示す側面断面図である。
【図８】は、従来の空気調和機の空気の流れを示す側面断面図である。
【図９】は、従来の空気調和機の空気の流れを示す側面断面図である。
【符号の説明】
１　　室内機
２　　キャビネット
３　　フロントパネル
４ａ、４ｃ　吸込口
５　　吹出口
５ａ　第１開口部
５ｂ　第２開口部
６　　送風経路
７　　送風ファン
８　　エアフィルタ
９　　室内熱交換器
１０　　ドレンパン
１１ａ、１１ｂ　横ルーバ（風向板）
１２　　縦ルーバ
１３　　分岐通路
１３ａ　案内面
１４　　導風板
【図１】
2004125313.tif 000003
【図２】
2004125313.tif 000004
【図３】
2004125313.tif 000005
【図４】
2004125313.tif 000006
【図５】
2004125313.tif 000007
【図６】
2004125313.tif 000008
【図７】
2004125313.tif 000009
【図８】
2004125313.tif 000010
【図９】
2004125313.tif 000011